(57)【要約】      （修正有）【課題】耳掻き操作時に耳掻き部に付着する耳垢を効果的に掃除し、清潔を保つことを可能にする。【解決手段】ほぼ半球状をなす半球状部５ａとこの半球状部５ａに連続し、該半球状部５ａより小さい外径の略截頭円錐状をなす円錐状部５ｂとを備えた耳掻き部５と、先端に該耳掻き部５を有する耳掻き軸２とこの耳掻き軸２に続く筒状で前記耳掻き部５を掃除するブラシ９を収納できる握り柄３と、前記握り柄３の他端に着脱可能に装着される前記ブラシ９を支持するキャップ４とを備えてなる耳掻き。【選択図】図５
0003114020.tif 000002
【実用新案登録請求の範囲】
【請求項１】
棒状の支持棒の先端に略半球状をなす半球状部および該半球状部と同軸で略同径の截頭円錐部とを２段に形成した耳掻き部と、一端に該耳掻き部の支持棒を装着するとともに他端に耳掻き部に付着した耳垢を掃除するための刷毛体を収納可能にした筒状の握り柄と、前記筒状の握り柄の他端側に装填する前記刷毛体の基端を支持したキャップとを備えたことを特徴とする耳かき。
【考案の詳細な説明】
【技術分野】
【０００１】
本考案は、外耳道内の皮膚に付着した耳垢を掻き出すために用いる耳かきに関する。
【背景技術】
【０００２】
外耳道内の耳垢を掻き出すために用いる耳かきとして、従来から、先端に杓子状の耳かき部を持った棒状のものが広く知られている（例えば、特許文献１参照）。この耳かきは、竹細工や合成樹脂の成形などにより一体に形成され、握り部を指先で掴み、耳かき部を外耳道内に挿入し、掻出し操作するようにして、使用される。
【０００３】
この耳かきは、細くて長い、例えば長さが１５センチ程度の棒状をなすため、軽量かつ安価に得られ、従って、実用性，汎用性に富む。また、握り柄の頭に丸綿のブラシを取り付けておくことにより、耳かきが済んだ後に、外耳道内に残った耳垢をブラシにより掃き出すことができる。
【特許文献１】特開平６−１１３９７８号公報
【考案の開示】
【考案が解決しようとする課題】
【０００４】
しかしながら、前記従来の耳かきにあっては、全長が１５センチ程度と長く、その収納や携帯に不便であるほか、収納中や運搬中に切損する場合があった。特に、丸綿のブラシを持つものでは、このブラシが潰れるなどして変形したり、外部環境に晒されて変質したりするなどの問題があった。
【０００５】
また、従来の耳かき部は、杓子状部を外耳道内に挿入して、耳垢の掻き出し操作をしても、その杓子状部の円弧面に最適角度があるため、その軸角度を保ちながら耳掻き操作しなければならず、皮膚面に付着している耳垢を効率的に掻き出し難いという問題があった。
【０００６】
さらに、耳垢を掻き出すためには、杓子状部の縁を外耳道の皮膚に当てるように、握り柄の軸角度を操作する必要があり、皮膚を傷める場合があるほか、操作性が悪いという問題があった。
【０００７】
本考案は、前記のような従来の問題を解決するものであり、安全かつ容易に耳垢を掻き出すことができると共に、耳掻き操作時に耳掻き部に付着する耳垢を効果的に掃除し、耳掻き部の清潔を保つことを可能にする。更に、収納、携帯および取扱いが容易な耳かきを提供することを目的とする。
【課題を解決するための手段】
【０００８】
前記目的を達成するために、本考案にかかる耳かきは、棒状の支持棒の先端に略半球状をなす半球状部および該半球状部と同軸で略同径の截頭円錐部とを２段に形成した耳掻き部と、一端に該耳掻き部の支持棒を装着するとともに他端に耳掻き部に付着した耳垢を掃除するための刷毛体を収納可能にした筒状の握り柄と、前記筒状の握り柄の他端側に装填する前記刷毛体の基端を支持したキャップとを備えたことを特徴とする。
【０００９】
これにより、握り柄に装着された耳かき軸を分離して、握り柄とともに占有空間の狭小化を図りながら、収納および携帯を容易化することができる。また、握り柄からキャップを分離することにより、キャップに支持されている刷毛体すなわちブラシを用いて耳掻き部に付着した耳垢を掃き落すことができる。
さらに、このブラシの使用後は、このブラシを外部環境に露出しないように、握り柄の筒内に収納することができ、収納時や携帯時におけるブラシの潰れや損傷を回避することができる。
また、半球状部が外耳道の内部において握り柄を回転操作することなく、半球状部に続く円錐状部とともに、外耳道内のウエットおよびドライの耳垢を効果的に掻き出すことができる。
【考案の効果】
【００１０】
本考案は、耳掻き軸の先端に耳掻き部を有し、一部または全部が筒状をなす握り柄の一端に、前記耳掻き軸を着脱可能に装着し、該握り柄の他端にキャップを着脱可能に装着して、キャップに設けたブラシを握り柄の筒内に収納可能にし、耳掻き部を半球状部と円錐状部とから構成することで、握り柄に装着された耳掻き軸を分離して、占有空間の狭小化を図りながら、握り柄とともに収納および携帯を容易化することができる。
また、握り柄からキャップを分離することにより、キャップに設けられた耳垢掃除用刷毛体すなわちブラシを用いて、耳掻き部の半球状部と円錐状部との谷部および円錐状部の顎部に付着した耳垢を掃き落すことができる。さらに、このブラシの使用後は、このブラシが外部環境に晒されないように、握り柄の筒内に収納することができ、収納時や携帯時におけるブラシの潰れや損傷を回避することができる。
【考案を実施するための最良の形態】
【００１１】
以下、本考案の実施形態による耳掻きについて、図面を参照しながら詳細に説明する。
本考案の実施形態による耳かきを、図１、図２および図３について説明する。図１は、耳かきの全体を一部破断して示す正面図、図２は、同じく左側面図、図３は、同じく右側面図である。
図１乃至図３において、耳かき１は、耳掻き軸２と、握り柄３とキャップ４とを有する構成である。
【００１２】
これらのうち、耳掻き軸２は、耳掻き部５、テーパ部６および等径部７を連続して有し、全体が陽極酸化処理後に黒色に染色したアルミニュームなどを材料として作られている。耳掻き部５は、耳掻き軸２の先端に設けられ、略半球状をなす半球状部５ａと、この半球状部５ａに連続し、該半球上部５ａより外径が僅か小さい略截頭円錐状をなす円錐状部５ｂとからなる。
【００１３】
半球状部５ａの外径は例えば４．５mm程度とされ、円錐状部５ｂの外径は４．０mm程度とされる。図４は、この半球状部５ａおよび円錐状部５ｂ付近の拡大図である。なお、半球状部５ａは、図上、截頭面ａを有するが、必ずしも設ける必要はない。
【００１４】
半球状部５ａおよび円錐状部５ｂの各周縁は、外耳道の皮膚に接触する部分であるため、皮膚との接触頻度の高いこれらの各周縁部を面取り加工した面取り部ｂ、ｃとしてある。また、円錐状部５ｂに連続する耳掻き軸２先端の外径は、円錐状部５ｂの周縁の外径よりも十分に細くしてある(例えば、約１／２）。
【００１５】
従って、耳掻き軸２は、円錐状部５ｂから握り柄３に向かって徐々に外径が拡大する前記テーパ部６を持つ。このテーパ部６の長さは、例えば略４０mm程度とされる。また、耳掻き軸２の等径部７の長さは、例えば３０mm程度とされ、外周には、図５に示すような雄ねじ部７ａが形成されている。
【００１６】
握り柄３は、図５にも示すような円筒状をなし、耳掻き軸２側に臨む内周面には、前記雄ねじ部７ａに螺合可能な雌ねじ３ａが所定長に亘って形成されている。なお、この握り柄３はステンレスなどの金属材料からなり、内径は例えば４mm程度とされている。この握り柄３の全体を円筒状とせずに、前記キャップ４側の一部のみを円筒状にしてもよい。
【００１７】
キャップ４は、図５に示すように、握り柄３に臨む側に所定深さの凹部４ａを有する。この凹部４ａの内径は、握り柄３の外径（例えば６mm程度）に略等しく、図示のように、その凹部４ａに握り柄３が軸方向に抜き差し可能に密嵌している。
【００１８】
そして、このキャップ４の凹部４ａには、一端部がキャップ４の中心部に埋設された針金(必要に応じ撚り線）８が突出されている。この針金８は、図５および図６に示すように、さらにキャップ４の外へ突出しており、この突出部に所定長（例えば、１５mm程度）に亘って天然繊維や合成繊維からなるブラシ９が取り付けられている。
【００１９】
従って、前記キャップ４の凹部４ａに握り柄３の先端を挿し込んだとき、針金８の一部がブラシ９とともに握り柄３の筒内に臨むように収容される。また、キャップ４の外周は六角形に面取りされている。
【００２０】
次に、前記構成になる耳かきの使用手順を説明する。
この耳かき１は、収納時や携帯時に、耳掻き軸２と図１に示すようにキャップを装着した状態の握り柄３とが、分解状態でケース等(図示しない）に収納されている。
そこで、この耳掻き１を耳掃除に使用するときには、ケース等から、分解状態にある握り柄３と耳掻き軸２とをそれぞれ取り出す。そして、前記握り柄３の雌ねじ３ａに対して、耳掻き軸２端の雄ねじ７ａを、図５に示すようにねじ込む。
【００２１】
次に、握り柄３を指先で摘み、耳掻き部５側から外耳道内に耳掻き軸２をゆっくりと挿入していく。この場合、耳掻き部５の先端部は半球状部５ａとなっており、しかも周縁が面取りされているので、その先端部が外耳道の皮膚に対して刺激的に接触することはなく、円滑に外耳道内の皮膚上を移動する。
【００２２】
さらに、耳掻き部５の先端部は、従来のように杓子形でなく、円形であるため、握り柄３を回転操作する必要がなくなり、外耳道の略全周面に亘り接触させて、耳掻きをすることができる。なお、個人差があるため、外耳道の径が大きい人の場合には、握り柄を数回程度径方向に移動することで、半球状部５ａおよび円錐状部５ｂを外耳道の略全体に接触させることができる。
【００２３】
こうして、半球状部５aを外耳道の所定深さまで侵入させる行程では、半球状部５aは、外耳道に付着している皮膜状の耳垢の上を通過し、耳垢は掻き取られないか、取られても僅かである。
【００２４】
そこで、握り柄３を操作して、半球状部５aを外耳道からゆっくり引き出す。このとき、外耳道は、耳掻き部５の半球状部５aと円錐状部５bの外周に密接しているため、半球状部５aおよび円錐状部５bの外縁部（前記面取り部ｂ、ｃ）が外耳道の皮膚に薄膜状に密着している耳垢を掻き落しながら、外耳道の外へ掻き出す。このような操作を複数回行うことで、外耳道内の耳垢の大部分を迅速に、比較的容易に取り除くことができる。
【００２５】
耳掻き部５の半球状部５aおよび円錐状部５bに付着した耳垢は、ブラシ９を用いて、半球状部５aおよび円錐状部５bの周囲をブラシングして付着した耳垢を掃き落す。このようにして、常に耳掻き部５の半球状部５aおよび円錐状部５bを清潔に保つことができ、衛生的である。
【００２６】
耳垢の掃除が終了すると、ブラシ９を握り柄３の筒孔内に挿入するようにして、この握り柄３の先端にキャップ４を被せる。さらに握り柄３から耳掻き軸２を分離することにより、耳かき１の収納、携帯および取扱いなどを容易にすることができる。このとき、ブラシ９は変形したり、潰れたりすることなく、所定の形状を保ったまま、次の使用に備えることとなる。
【００２７】
このように、本考案の実施形態では、耳掻き軸の先端に耳掻き部を有し、一部または全部が筒状をなす握り柄の一端に、前記耳掻き軸を着脱可能に装着し、該握り柄の他端にキャップを着脱可能に装着して、キャップに設けたブラシを握り柄の筒内に収納可能にし、さらに前記耳掻き部が、ほぼ半球状をなす半球状部と、この半球状部に連続し、該半球状部より小さい外径の略截頭円錐状をなす円錐状部と、を有する構成としたことで、外耳道の皮膚に傷をつけることなく、安全かつ容易に耳垢を掻き出すことができる。さらに、使用後は、ブラシの清掃でで、耳掻き部を常に清潔しておくことがてきる。
【産業上の利用可能性】
【００２８】
本考案の耳かきは、握り柄に装着された耳掻き軸を分離して、握り柄とともに占有空間の狭小化を図りながら、収納および携帯を容易化することができ、また、握り柄からキャップを分離することにより、キャップに設けられたブラシを用いて耳掻き部に付着した耳垢を掃除し、常に清潔に保つことができる。
【図面の簡単な説明】
【００２９】
【図１】本考案の実施形態による耳かきを一部破断して示す正面図である。
【図２】図１に示す耳かきの左側面図である。
【図３】図１に示す耳かきの右側面図である。
【図４】図１に示す耳かき軸の拡大正面図である。
【図５】図１に示す耳かきの要部の断面図である。
【図６】図１に示すキャップの正面図である。
【符号の説明】
【００３０】
１…耳かき、２…耳掻き軸、３…握り柄、４…キャップ、５…耳掻き部、５a…半球状部、５b…円錐状部、６…テーパ部、８…針金、９…ブラシ
【図１】
0003114020.tif 000003
【図２】
0003114020.tif 000004
【図３】
0003114020.tif 000005
【図４】
0003114020.tif 000006
【図５】
0003114020.tif 000007
【図６】
0003114020.tif 000008